(57)【要約】【課題】本発明は、ガラス基板の立体的な面にフィルムを貼り付けることを目的とする。【解決手段】表面３４は、平坦面４０及び第１傾斜面４２に隣接し平坦面４０及び第１傾斜面４２に対して傾斜する第２傾斜面４４を含む。フィルム５０は、平坦面４０に貼り付けられたベース部５２と、第１傾斜面４２に貼り付けられた第１部分５４と、第２傾斜面４４に貼り付けられた第２部分５６と、を有する。第１部分５４と第２部分５６は、切り欠き６２によって分離されている。ベース部５２及び第１部分５４は、一体的に構成され、ベース部５２及び第１部分５４の隣接部分が屈曲することで平坦面４０から第１傾斜面４２に連続的に貼り付けられている。ベース部５２及び第２部分５６は、一体的に構成され、ベース部５２及び第２部分５６の隣接部分が屈曲することで平坦面４０から第２傾斜面４４に連続的に貼り付けられている。【選択図】図１
2011022527.tif 000002
【特許請求の範囲】
【請求項１】
表示パネルと、
前記表示パネルの表示面に重なるガラス基板と、
前記ガラス基板に貼り付けられたフィルムと、
を有し、
前記ガラス基板は、表面及び裏面と、前記表面の周縁及び前記裏面の周縁を接続する側面と、を有し、
前記表面は、平坦面と、前記平坦面に隣接し前記平坦面に対して傾斜する第１傾斜面と、前記平坦面及び前記第１傾斜面に隣接し前記平坦面及び前記第１傾斜面に対して傾斜する第２傾斜面と、を含み、
前記フィルムは、前記平坦面に貼り付けられたベース部と、前記第１傾斜面に貼り付けられた第１部分と、前記第２傾斜面に貼り付けられた第２部分と、を有し、
前記第１部分と前記第２部分は、切り欠きによって分離されており、
前記ベース部及び前記第１部分は、一体的に構成され、前記ベース部及び前記第１部分の隣接部分が屈曲することで前記平坦面から前記第１傾斜面に連続的に貼り付けられ、
前記ベース部及び前記第２部分は、一体的に構成され、前記ベース部及び前記第２部分の隣接部分が屈曲することで前記平坦面から前記第２傾斜面に連続的に貼り付けられていることを特徴とする表示装置。
【請求項２】
請求項１に記載された表示装置において、
前記第１部分及び前記第２部分の、分離されることで形成された相互の辺同士が対向又は接触するように配置されることを特徴とする表示装置。
【請求項３】
請求項１又は２に記載された表示装置において、
前記表面は、前記平坦面及び前記第２傾斜面に隣接し前記平坦面及び前記第２傾斜面に対して傾斜する第３傾斜面をさらに含み、
前記フィルムは、前記第３傾斜面に貼り付けられた第３部分をさらに有し、
前記第２部分と前記第３部分は、切り欠きによって分離されており、
前記ベース部及び前記第３部分は、一体的に構成され、前記ベース部及び前記第３部分の隣接部分が屈曲することで前記平坦面から前記第３傾斜面に連続的に貼り付けられていることを特徴とする表示装置。
【請求項４】
請求項３に記載された表示装置において、
前記第２部分及び前記第３部分の、分離されることで形成された相互の辺同士が対向又は接触するように配置されることを特徴とする表示装置。
【請求項５】
請求項１から４のいずれか１項に記載された表示装置において、
前記表面は、前記平坦面、前記第１傾斜面及び前記第３傾斜面に隣接し、前記平坦面、前記第１傾斜面及び前記第３傾斜面に対して傾斜する第４傾斜面をさらに含み、
前記フィルムは、前記第４傾斜面に貼り付けられた第４部分をさらに有し、
前記第１部分と前記第４部分は、切り欠きによって分離されており、
前記第３部分と前記第４部分は、切り欠きによって分離されており、
前記ベース部及び前記第４部分は、一体的に構成され、前記ベース部及び前記第４部分の隣接部分が屈曲することで前記平坦面から前記第４傾斜面に連続的に貼り付けられていることを特徴とする表示装置。
【請求項６】
請求項５に記載された表示装置において、
前記第１部分及び前記第４部分の、分離されることで形成された相互の辺同士が対向又は接触するように配置されることを特徴とする表示装置。
【請求項７】
請求項５又は６に記載された表示装置において、
前記第３部分及び前記第４部分の、分離されることで形成された相互の辺同士が対向又は接触するように配置されることを特徴とする表示装置。
【発明の詳細な説明】
【技術分野】
【０００１】
本発明は、表示装置に関する。
【背景技術】
【０００２】
液晶表示パネルなどの表示パネルには、その表示面を覆うようにガラス基板（フロントパネル）が取り付けられることがある（特許文献１）。ガラス基板にはフィルムを貼り付けることで割れたときの飛散防止が図られる。ガラス基板は、装飾などの目的で端部に面取り加工を施すことがある。面取り加工によって、ガラス基板の表面は、平坦面及びこれに隣接する傾斜面を有するようになる。
【先行技術文献】
【特許文献】
【０００３】
【特許文献１】特開２００８−８３４９１号公報
【発明の概要】
【発明が解決しようとする課題】
【０００４】
ガラス基板の隣り合う二辺に傾斜面が形成されると、平坦面及び２つの傾斜面によって立体的な面が構成されてしまうので、これらの上に連続的にフィルムを貼り付けることができない。そこで、傾斜面を避けて平坦面のみにフィルムを貼り付けることも考えられるが、そうすると、フィルムの端によって描かれる輪郭線が現れてしまい、外観が損なわれるおそれがある。また、傾斜面にフィルムを貼らないので、その部分での飛散防止を図ることができない。
【０００５】
本発明は、ガラス基板の立体的な面にフィルムを貼り付けることを目的とする。
【課題を解決するための手段】
【０００６】
（１）本発明に係る表示装置は、表示パネルと、前記表示パネルの表示面に重なるガラス基板と、前記ガラス基板に貼り付けられたフィルムと、を有し、前記ガラス基板は、表面及び裏面と、前記表面の周縁及び前記裏面の周縁を接続する側面と、を有し、前記表面は、平坦面と、前記平坦面に隣接し前記平坦面に対して傾斜する第１傾斜面と、前記平坦面及び前記第１傾斜面に隣接し前記平坦面及び前記第１傾斜面に対して傾斜する第２傾斜面と、を含み、前記フィルムは、前記平坦面に貼り付けられたベース部と、前記第１傾斜面に貼り付けられた第１部分と、前記第２傾斜面に貼り付けられた第２部分と、を有し、前記第１部分と前記第２部分は、切り欠きによって分離されており、前記ベース部及び前記第１部分は、一体的に構成され、前記ベース部及び前記第１部分の隣接部分が屈曲することで前記平坦面から前記第１傾斜面に連続的に貼り付けられ、前記ベース部及び前記第２部分は、一体的に構成され、前記ベース部及び前記第２部分の隣接部分が屈曲することで前記平坦面から前記第２傾斜面に連続的に貼り付けられていることを特徴とする。本発明によれば、平坦面、第１傾斜面及び第２傾斜面によって、立体的な面が構成されるが、第１部分と第２部分が切り欠きによって分離されているので、フィルムをこれらの上に連続的に貼り付けることができる。
【０００７】
（２）（１）に記載された表示装置において、前記第１部分及び前記第２部分の、分離されることで形成された相互の辺同士が対向又は接触するように配置されることを特徴としてもよい。
【０００８】
（３）（１）又は（２）に記載された表示装置において、前記表面は、前記平坦面及び前記第２傾斜面に隣接し前記平坦面及び前記第２傾斜面に対して傾斜する第３傾斜面をさらに含み、前記フィルムは、前記第３傾斜面に貼り付けられた第３部分をさらに有し、前記第２部分と前記第３部分は、切り欠きによって分離されており、前記ベース部及び前記第３部分は、一体的に構成され、前記ベース部及び前記第３部分の隣接部分が屈曲することで前記平坦面から前記第３傾斜面に連続的に貼り付けられていることを特徴としてもよい。
【０００９】
（４）（３）に記載された表示装置において、前記第２部分及び前記第３部分の、分離されることで形成された相互の辺同士が対向又は接触するように配置されることを特徴としてもよい。
【００１０】
（５）（１）から（４）のいずれか１項に記載された表示装置において、前記表面は、前記平坦面、前記第１傾斜面及び前記第３傾斜面に隣接し、前記平坦面、前記第１傾斜面及び前記第３傾斜面に対して傾斜する第４傾斜面をさらに含み、前記フィルムは、前記第４傾斜面に貼り付けられた第４部分をさらに有し、前記第１部分と前記第４部分は、切り欠きによって分離されており、前記第３部分と前記第４部分は、切り欠きによって分離されており、前記ベース部及び前記第４部分は、一体的に構成され、前記ベース部及び前記第４部分の隣接部分が屈曲することで前記平坦面から前記第４傾斜面に連続的に貼り付けられていることを特徴としてもよい。
【００１１】
（６）（５）に記載された表示装置において、前記第１部分及び前記第４部分の、分離されることで形成された相互の辺同士が対向又は接触するように配置されることを特徴としてもよい。
【００１２】
（７）（５）又は（６）に記載された表示装置において、前記第３部分及び前記第４部分の、分離されることで形成された相互の辺同士が対向又は接触するように配置されることを特徴としてもよい。
【図面の簡単な説明】
【００１３】
【図１】本発明の第１の実施形態に係る表示装置を示す断面図である。
【図２】ガラス基板の平面図である。
【図３】ガラス基板に貼られる前のフィルムの平面図である。
【図４】ガラス基板にフィルムを貼るプロセスを説明する図である。
【図５】ガラス基板に貼り付けられたフィルムの平面図である。
【図６】本発明の第２の実施形態に係る表示装置のガラス基板の平面図である。
【図７】ガラス基板に貼られる前のフィルムの平面図である。
【図８】ガラス基板にフィルムを貼るプロセスを説明する図である。
【図９】ガラス基板に貼り付けられたフィルムの平面図である。
【図１０】本発明の第３の実施形態に係る表示装置を示す断面図である。
【発明を実施するための形態】
【００１４】
以下、本発明の実施形態について、図面を参照して説明する。
【００１５】
［第１の実施形態］
図１は、本発明の第１の実施形態に係る表示装置を示す断面図である。
【００１６】
表示装置は表示パネル１０を有する。表示パネル１０として、液晶表示パネル、有機エレクトロルミネッセンス表示パネル又はプラズマ表示パネルなどを例に挙げることができる。図１に示す表示パネル１０は、液晶表示パネルであり、一対の基板１２，１４（例えばＴＦＴ（Thin Film Transistor）基板及びカラーフィルタ基板）とこれらの間に挟まれた液晶（図示せず）を有する。一方の基板１２には、半導体チップ１６が搭載され、フレキシブル配線基板１８が接続されている。他方の基板１４には偏光板２０が貼り付けられている。
【００１７】
表示装置は、樹脂のモールド成形によって得られたフレーム２２を有し、フレーム２２には図示しないバックライトモジュールが収められている。図１に示す表示装置は、タッチパネル２４を有する例であり、タッチパネル２４にもフレキシブル配線基板２６が接続されている。タッチパネル２４は、第１粘着層２８を介して偏光板２０に貼り付けられている。
【００１８】
表示装置は、強化ガラスなどからなるガラス基板３０を有する。ガラス基板３０は、第２粘着層３２を介してタッチパネル２４に貼り付けられている。ガラス基板３０は、表示パネル１０の表示面に重なるように配置されている。ガラス基板３０は、表面３４及び裏面３６と、表面３４の周縁及び裏面３６の周縁を接続する側面３８と、を有する。
【００１９】
図２は、ガラス基板３０の平面図である。ガラス基板３０の表面３４は、例えば矩形の平坦面４０を有する。表面３４は、平坦面４０に隣接し平坦面４０に対して傾斜する第１傾斜面４２を含む。表面３４は、平坦面４０及び第１傾斜面４２に隣接し平坦面４０及び第１傾斜面４２に対して傾斜する第２傾斜面４４を含む。表面３４は、平坦面４０及び第２傾斜面４４に隣接し平坦面４０及び第２傾斜面４４に対して傾斜する第３傾斜面４６を含む。表面３４は、平坦面４０、第１傾斜面４２及び第３傾斜面４６に隣接し、平坦面４０、第１傾斜面４２及び第３傾斜面４６に対して傾斜する第４傾斜面４８を含む。
【００２０】
第１傾斜面４２、第２傾斜面４４、第３傾斜面４６及び第４傾斜面４８は、それぞれ、平坦面４０に対してｆ１の角度（図１参照）で傾斜し、平坦面４０から先端までＬ１の長さ（図１参照）を有する。
【００２１】
図１に示すように、ガラス基板３０にはフィルム５０が貼られている。フィルム５０は、アクリル樹脂又はポリカーボネートなどの樹脂からなり、ガラス基板３０よりも柔軟性がある。フィルム５０を貼り付けることで、ガラス基板３０が破損してもその飛散を防止することができる。フィルム５０は、図示しない粘着層を介してガラス基板３０に貼り付けられる。したがって、ガラス基板３０に貼り付けられたフィルム５０は容易に剥がすことができるので、貼り替えを簡単に行うことができる。
【００２２】
図３は、ガラス基板３０に貼られる前のフィルム５０の平面図である。フィルム５０は、ベース部５２を有し、ベース部５２の周囲に第１部分５４、第２部分５６、第３部分５８及び第４部分６０を有する。ベース部５２の平面形状は、平坦面４０の平面形状と一致している。第１部分５４と第２部分５６は、切り欠き６２によって分離されている。第２部分５６と第３部分５８も、切り欠き６２によって分離されている。第３部分５８と第４部分６０も、切り欠き６２によって分離されている。第１部分５４と第４部分６０も、切り欠き６２によって分離されている。第１部分５４、第２部分５６、第３部分５８及び第４部分６０は、それぞれ、ベース部５２に一体的に構成されている。
【００２３】
第１部分５４、第２部分５６、第３部分５８及び第４部分６０は、それぞれ、ベース部５２からＬ２の長さを有する。第１部分５４、第２部分５６、第３部分５８及び第４部分６０のそれぞれは、切り欠き６２によって形成された辺と、ベース部５２から延びた先端によって構成された辺とを有する。ベース部５２から延びた先端によって構成された辺に対して４５度の角度で交わる直線Ｓと、切り欠き６２によって形成された辺との間の角度はｆ２である。
【００２４】
図４は、ガラス基板３０にフィルム５０を貼るプロセスを説明する図である。平坦面４０にベース部５２を貼り付ける。第１傾斜面４２の上方に第１部分５４が位置する。第２傾斜面４４の上方に第２部分５６が位置する。第３傾斜面４６の上方に第３部分５８が位置する。第４傾斜面４８の上方に第４部分６０が位置する。
【００２５】
図５は、ガラス基板３０に貼り付けられたフィルム５０の平面図である。フィルム５０は、平坦面４０に貼り付けられたベース部５２を有する。フィルム５０は、第１傾斜面４２に貼り付けられた第１部分５４を有する。ベース部５２及び第１部分５４は、一体的に構成されている。フィルム５０は、第２傾斜面４４に貼り付けられた第２部分５６を有する。ベース部５２及び第２部分５６は、一体的に構成されている。フィルム５０は、第３傾斜面４６に貼り付けられた第３部分５８を有する。ベース部５２及び第３部分５８は、一体的に構成されている。フィルム５０は、第４傾斜面４８に貼り付けられた第４部分６０を有する。ベース部５２及び第４部分６０は、一体的に構成されている。
【００２６】
第１傾斜面４２、第２傾斜面４４、第３傾斜面４６又は第４傾斜面４８の長さＬ１（図１参照）と、第１部分５４、第２部分５６、第３部分５８又は第４部分６０の長さＬ２（図３参照）が等しければ、第１部分５４の辺と第１傾斜面４２の辺は一致する。あるいは、変形例として、第１部分５４の端部が第１傾斜面４２の辺を超えてはみだしていてもよい。この点は、第２部分５６及び第２傾斜面４４、第３部分５８及び第３傾斜面４６、第４部分６０及び第４傾斜面４８のいずれにも該当する。
【００２７】
図３に示すように、第１部分５４が第２部分５６及び第４部分６０から分離されているので、第２部分５６及び第４部分６０を変形させることなく、ベース部５２及び第１部分５４の隣接部分を屈曲させることができる。これにより、平坦面４０から第１傾斜面４２にかけて連続的に、ベース部５２及び第１部分５４を貼り付けることができる。フィルム５０がガラス基板３０に貼り付けられると、図５に示すように、第１部分５４及び第２部分５６の、分離されることで形成された相互の辺同士は、対向又は接触するように配置される。同様に、第１部分５４及び第４部分６０の、分離されることで形成された相互の辺同士も、対向又は接触するように配置される。
【００２８】
第１傾斜面４２、第２傾斜面４４、第３傾斜面４６又は第４傾斜面４８の傾斜角度ｆ１（図１参照）と、第１部分５４、第２部分５６、第３部分５８又は第４部分６０の辺の傾斜角度ｆ２（図３参照）とをほぼ等しくすることで、分離されることで形成された隣同士の辺を対向又は接触させることができる。この点は、第１部分５４及び第２部分５６の間の辺同士、第１部分５４及び第４部分６０の間の辺同士、第２部分５６と第３部分５８の間の辺同士、第３部分５８と第４部分６０の間の辺同士のいずれにも該当する。
【００２９】
第２部分５６が第１部分５４及び第３部分５８から分離されているので、第１部分５４及び第３部分５８を変形させることなく、ベース部５２及び第２部分５６の隣接部分を屈曲させることができる。これにより、平坦面４０から第２傾斜面４４にかけて連続的に、ベース部５２及び第２部分５６が貼り付けられている。フィルム５０がガラス基板３０に貼り付けられると、第２部分５６及び第３部分５８の、分離されることで形成された相互の辺同士は、対向又は接触するように配置される。
【００３０】
第３部分５８が第２部分５６及び第４部分６０から分離されているので、第２部分５６及び第４部分６０を変形させることなく、ベース部５２及び第３部分５８の隣接部分を屈曲させることができる。これにより、平坦面４０から第３傾斜面４６にかけて連続的に、ベース部５２及び第３部分５８が貼り付けられている。フィルム５０がガラス基板３０に貼り付けられると、第３部分５８及び第４部分６０の、分離されることで形成された相互の辺同士は、対向又は接触するように配置される。
【００３１】
第４部分６０が第３部分５８及び第１部分５４から分離されているので、第３部分５８及び第１部分５４を変形させることなく、ベース部５２及び第４部分６０の隣接部分が屈曲させることができる。これにより、平坦面４０から第４傾斜面４８にかけて連続的に、ベース部５２及び第４部分６０が貼り付けられている。
【００３２】
本実施形態によれば、ガラス基板３０には、平坦面４０、第１傾斜面４２、第２傾斜面４４、第３傾斜面４６及び第４傾斜面４８によって立体的な面が構成されるが、第１部分５４、第２部分５６、第３部分５８及び第４部分６０がそれぞれ切り欠き６２によって分離されているので、フィルム５０をガラス基板３０の上に連続的に貼り付けることができる。
【００３３】
［第２の実施形態］
図６〜図９は、本発明の第２の実施形態に係る表示装置を説明するための図である。本実施形態では、ガラス基板１３０及びフィルム１５０が、第１の実施形態のガラス基板３０及びフィルム５０と異なる。本実施形態のその他の構成は、第１の実施形態で説明した内容が該当する。
【００３４】
図６は、ガラス基板１３０の平面図である。ガラス基板１３０は、第４傾斜面を有していない点で第１の実施形態のガラス基板３０と異なる。
【００３５】
図７は、ガラス基板１３０に貼られる前のフィルム１５０の平面図である。フィルム１５０は、第４部分を有していない点で第１の実施形態のフィルム５０と異なる。
【００３６】
図８は、ガラス基板１３０にフィルム１５０を貼るプロセスを説明する図である。平坦面１４０にベース部１５２を貼り付ける。第１傾斜面１４２の上方に第１部分１５４が位置する。第２傾斜面１４４の上方に第２部分１５６が位置する。第３傾斜面１４６の上方に第３部分１５８が位置する。
【００３７】
図９は、ガラス基板１３０に貼り付けられたフィルム１５０の平面図である。フィルム１５０は、平坦面１４０に貼り付けられたベース部１５２を有する。フィルム１５０は、第１傾斜面１４２に貼り付けられた第１部分１５４を有する。ベース部１５２及び第１部分１５４は、一体的に構成されている。フィルム１５０は、第２傾斜面１４４に貼り付けられた第２部分１５６を有する。ベース部１５２及び第２部分１５６は、一体的に構成されている。フィルム１５０は、第３傾斜面１４６に貼り付けられた第３部分１５８を有する。ベース部１５２及び第３部分１５８は、一体的に構成されている。ガラス基板１３０及びフィルム１５０のその他の構成は、第１の実施形態でガラス基板３０及びフィルム５０について説明した内容が該当する。
【００３８】
本実施形態によれば、ガラス基板１３０には、平坦面１４０、第１傾斜面１４２、第２傾斜面１４４及び第３傾斜面１４６によって立体的な面が構成されるが、第１部分１５４、第２部分１５６及び第３部分１５８がそれぞれ切り欠き１６２によって分離されているので、フィルム１５０をガラス基板１３０の上に連続的に貼り付けることができる。
【００３９】
［第３の実施形態］
図１０は、本発明の第３の実施形態に係る表示装置を示す断面図である。本実施の形態に係る表示装置は、タッチパネルを有しない点で、第１の実施の形態（図１参照）と異なる。したがって、タッチパネルの取り付けに必要な粘着層も存在しない。その代わりに、偏光板２０にガラス基板３０を貼り付けるための粘着層１３２が設けられている。このように、本発明は、タッチパネルを有しない表示装置にも適用することができる。
【００４０】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００４１】
１０  表示パネル、１２  基板、１４  基板、１６  半導体チップ、１８  フレキシブル配線基板、２０  偏光板、２２  フレーム、２４  タッチパネル、２６  フレキシブル配線基板、２８  第１粘着層、３０  ガラス基板、３２  第２粘着層、３４  表面、３６  裏面、３８  側面、４０  平坦面、４２  第１傾斜面、４４  第２傾斜面、４６  第３傾斜面、４８  第４傾斜面、５０  フィルム、５２  ベース部、５４  第１部分、５６  第２部分、５８  第３部分、６０  第４部分、６２  切り欠き、１３０  ガラス基板、１３２  粘着層、１４０  平坦面、１４２  第１傾斜面、１４４  第２傾斜面、１４６  第３傾斜面、１５０  フィルム、１５２  ベース部、１５４  第１部分、１５６  第２部分、１５８  第３部分、１６２  切り欠き。
【図１】
2011022527.tif 000003
【図２】
2011022527.tif 000004
【図３】
2011022527.tif 000005
【図４】
2011022527.tif 000006
【図５】
2011022527.tif 000007
【図６】
2011022527.tif 000008
【図７】
2011022527.tif 000009
【図８】
2011022527.tif 000010
【図９】
2011022527.tif 000011
【図１０】
2011022527.tif 000012